(57)【要約】  【課題】  リモコン性能試験におけるリモコン操作を自動に行えるようにし、性能試験の効率化を図れるリモコン試験システムを提供する。  【解決手段】  リモコン性能試験を行う際、パソコン１では、波形変形データ付加手段１１により、波形変形データがリモコンコマンドに付加された場合、コマンド送信手段１２は、波形変形データが付加されたリモコンコマンドをマクロに従って繰り返しリモコン送信機２へ送信する。リモコン送信機２では、パソコン１から送信されてきたリモコンコマンドに付加された波形変形データに基づいてリモコンコードの波形を波形変形手段６１により変形し、リモコンコード送信手段６２は前記変形されたリモコンコードを繰り返し送信する。これにより、検査員がリモコン送信機２の操作キーを手動で何回も押下する必要がなくなる。【選択図】      図１
2005204222.tif 000002
【特許請求の範囲】
【請求項１】
操作コマンドを受け付ける複数の操作キーを有し、操作の対象機器に送信する各種操作
内容を示すリモコンコードを記憶し、当該操作キーが押下されると、当該リモコンコード
を送信するようになっているリモコン送信機に対する性能試験を、前記リモコン送信機に
ＵＳＢ（Universal Serial Bus）通信ケーブルを介して接続される情報処理装置を用いて
行うリモコン試験システムであって、前記情報処理装置は、前記リモコン送信機から送信
されるリモコンコードの波形を変形させるための波形変形データをリモコンコマンドに付
加する波形変形データ付加手段と、前記波形変形データが付加されたリモコンコマンドま
たは前記波形変形データが付加されていないリモコンコマンドをマクロに従って繰り返し
出力し前記ＵＳＢ通信ケーブルを介して前記リモコン送信機へ送信するコマンド送信手段
とを備え、前記リモコン送信機は、前記情報処理装置から送信されてきたリモコンコマン
ドに付加された波形変形データに基づいてリモコンコードの波形を変形する波形変形手段
と、前記変形されたリモコンコードまたは基本波形のリモコンコードを繰り返し送信する
リモコンコード送信手段とを備え、また、前記情報処理装置は、ホストアプリケーション
から任意のリモコンフォーマットの組み込みファームウェアを前記リモコン送信機にダウ
ンロードすることを可能し、また、前記組み込みファームウェアを変更することで、任意
に波形変形したリモコンコードを前記リモコン送信機から送信させることを可能にし、ま
た、前記ホストアプリケーションと前記組み込みファームウェア間のコマンド通信を付加
することで、前記情報処理装置からリモコンコードの波形を制御することを可能にするこ
とを特徴とするリモコン試験システム。
【請求項２】
操作コマンドを受け付ける複数の操作キーを有し、操作の対象機器に送信する各種操作
内容を示すリモコンコードを記憶し、当該操作キーが押下されると、当該リモコンコード
を送信するようになっているリモコン送信機に対する性能試験を、前記リモコン送信機に
所定の通信ケーブルを介して接続される情報処理装置を用いて行うリモコン試験システム
であって、前記情報処理装置は、波形変形データが付加されたリモコンコマンド、あるい
は波形変形データが付加されていないリモコンコマンドを、前記通信ケーブルを介して前
記リモコン送信機にマクロにより繰り返し送信し、前記リモコン送信機は、前記情報処理
装置から送信されてきたリモコンコマンドに波形変形データが付加されていれば、前記波
形変形データに基づいて波形変形したリモコンコードを繰り返し送信し、リモコンコマン
ドに波形変形データが付加されていなければ、基本波形のリモコンコードを繰り返し送信
することを特徴とするリモコン試験システム。
【請求項３】
前記所定の通信ケーブルはＵＳＢ通信ケーブルであることを特徴とする請求項２に記載
のリモコン試験システム。
【請求項４】
前記情報処理装置は、リモコン送信機から送信されるリモコンコードの波形を変形させ
るための波形変形データをリモコンコマンドに付加する波形変形データ付加手段と、前記
波形変形データが付加されたリモコンコマンドまたは前記波形変形データが付加されてい
ないリモコンコマンドをマクロに従って繰り返し通信ケーブルを介して前記リモコン送信
機に送信するコマンド送信手段とを備えたことを特徴とする請求項２に記載のリモコン試
験システム。
【請求項５】
前記リモコン送信機は、情報処理装置から送信されてきたリモコンコマンドに付加され
た波形変形データに基づいてリモコンコードの波形を変形する波形変形手段と、前記変形
されたリモコンコードまたは基本波形のリモコンコードを繰り返し送信するリモコンコー
ド送信手段とを備えたことを特徴とする請求項２に記載のリモコン試験システム。
【請求項６】
前記情報処理装置は、ホストアプリケーションから任意のリモコンフォーマットの組み
込みファームウェアをリモコン送信機にダウンロードすることを可能し、また、前記組み
込みファームウェアを変更することで、任意に波形変形したリモコンコードを前記リモコ
ン送信機から送信させることを可能にし、また、前記ホストアプリケーションと前記組み
込みファームウェア間のコマンド通信を付加することで、前記情報処理装置からリモコン
コードの波形を制御することを可能にすることを特徴とする請求項２に記載のリモコン試
験システム。
【発明の詳細な説明】
【技術分野】
【０００１】
本発明は、ビデオ機器、テレビジョン、その他電子機器などを操作するのに用いられる
リモコン（リモートコントローラ）送信機の性能試験を行うリモコン試験システムに関す
る。
【背景技術】
【０００２】
近年の電子機器は、例えば、ビデオ機器やテレビジョンなどで代表されるように、赤外
線を用いたリモコン送信機によって操作されるものが多くなってきている。このようなリ
モコン送信機の性能試験を行うのに、メーカ側では、検査員がリモコン送信機の操作キー
を何回も押下して行っている。
【０００３】
例えば、対象機器がＤＶＤ（デジタル・バーサタイル・ディスク）プレイヤであった場
合、リモコン送信機のポーズキーを１回押下すると、一時停止し、この後、ポーズキーを
１回押下する度に、１コマづつ動くようなコマ送り機能があり、コマ送りを確認するとき
に、検査員はリモコン送信機のポーズキーを何回も押下してリモコン送信機の性能試験を
行っている。また、リモコン送信機と対象機器との間に障害物があったり、あるいはリモ
コン送信機の内蔵電池の電圧が低下したりすると、リモコン送信機から送信されたリモコ
ンコードの波形が崩れるので、このような場合も想定してリモコン送信機の性能試験を行
っている。
【特許文献１】特開２００３−８７８８１号公報
【特許文献２】特開２０００−１６３１２３号公報
【特許文献３】特開平２−２８３１９６号公報
【発明の開示】
【発明が解決しようとする課題】
【０００４】
このように、従来ではリモコン送信機の性能試験を行うのに、メーカ側では、検査員が
リモコン送信機の操作キーを手動で何回も押下して行っているので、試験効率が悪く、大
量のリモコン送信機に対して性能試験を行うことは時間も多くかかり、生産コスト面から
考えてもほとんど不可能であるという課題があった。また、リモコン送信機と対象機器と
の間に障害物があったり、あるいはリモコン送信機の内蔵電池の電圧が低下したりすると
、リモコン送信機から送信されたリモコンコードの波形が崩れるので、例えば、リモコン
送信機と対象機器との間に障害物を置いたり、リモコン送信機の内蔵電池の電圧を低下さ
せたりして、リモコン送信機の性能試験を行う必要がある場合、試験効率が悪く、大量の
リモコン送信機に対して性能試験を行うことは時間も多くかかり、この場合も、生産コス
ト面から考えてもほとんど不可能であるという課題があった。
【０００５】
なお、特許文献１の従来技術は、リモコン機能を容易に学習させることが可能な学習リ
モコンを提供するもので、リモコンの性能試験を行うための技術は開示されていないので
、上記のような課題を解決できるものではない。特許文献２の従来技術は、１つのコント
ローラで不特定多数の機器を操作するようにしているが、この従来技術も、リモコンの性
能試験を行うための技術は開示されていないので、上記のような課題を解決できるもので
はない。
【０００６】
特許文献３の従来技術では、電子機器で使用する予定の全てのリモコンコードについて
順次自動的に生成し、各リモコンコードについて一連の動作処理を実行し、この実行によ
り得られた記録を調べることにより、マイクロコンピュータにおけるリモコン信号処理プ
ログラムの信頼性および問題点の箇所を知ることができるようにしているが、単に予定の
全てのリモコンコードを出力するだけで、リモコンコードの波形が崩れる場合もあること
を想定してリモコンの性能試験が行われていないので、上記のような課題を全部解決でき
るものではない。
【０００７】
本発明は、上記のような課題を解決するためになされたもので、リモコン性能試験にお
けるリモコン操作を自動に行えるようにし、性能試験の効率化を図れるリモコン試験シス
テムを提供することを目的とする。
【課題を解決するための手段】
【０００８】
上記目的を達成するために、請求項１の発明は、操作コマンドを受け付ける複数の操作
キーを有し、操作の対象機器に送信する各種操作内容を示すリモコンコードを記憶し、当
該操作キーが押下されると、当該リモコンコードを送信するようになっているリモコン送
信機に対する性能試験を、前記リモコン送信機にＵＳＢ通信ケーブルを介して接続される
情報処理装置を用いて行うリモコン試験システムであって、前記情報処理装置は、前記リ
モコン送信機から送信されるリモコンコードの波形を変形させるための波形変形データを
リモコンコマンドに付加する波形変形データ付加手段と、前記波形変形データが付加され
たリモコンコマンドまたは前記波形変形データが付加されていないリモコンコマンドをマ
クロに従って繰り返し出力し前記ＵＳＢ通信ケーブルを介して前記リモコン送信機へ送信
するコマンド送信手段とを備え、前記リモコン送信機は、前記情報処理装置から送信され
てきたリモコンコマンドに付加された波形変形データに基づいてリモコンコードの波形を
変形する波形変形手段と、前記変形されたリモコンコードまたは基本波形のリモコンコー
ドを繰り返し送信するリモコンコード送信手段とを備え、また、前記情報処理装置は、ホ
ストアプリケーションから任意のリモコンフォーマットの組み込みファームウェアを前記
リモコン送信機にダウンロードすることを可能し、また、前記組み込みファームウェアを
変更することで、任意に波形変形したリモコンコードを前記リモコン送信機から送信させ
ることを可能にし、また、前記ホストアプリケーションと前記組み込みファームウェア間
のコマンド通信を付加することで、前記情報処理装置からリモコンコードの波形を制御す
ることを可能にすることを特徴とするリモコン試験システムを提供する。
【０００９】
この構成において、リモコン性能試験を行う際、情報処理装置では、波形変形データ付
加手段により、波形変形データがリモコンコマンドに付加された場合、コマンド送信手段
は、前記波形変形データが付加されたリモコンコマンドを、マクロに従って繰り返しリモ
コン送信機へ送信する。リモコン送信機では、情報処理装置から送信されてきたリモコン
コマンドに付加された波形変形データに基づいてリモコンコードの波形を波形変形手段に
より変形し、リモコンコード送信手段は、前記変形されたリモコンコードを繰り返し送信
する。
【００１０】
波形変形データがリモコンコマンドに付加されていない場合、コマンド送信手段は、前
記リモコンコマンドを、マクロに従って繰り返しリモコン送信機へ送信する。リモコン送
信機では、情報処理装置から送信されてきたリモコンコマンドに従って、リモコンコード
送信手段は、基本波形のリモコンコードを繰り返し送信する。
【００１１】
また、情報処理装置は、ホストアプリケーションから任意のリモコンフォーマットの組
み込みファームウェアをリモコン送信機にダウンロードすることができるので、前記組み
込みファームウェアを使いたいときに設定するプラグイン化でき、各社各規格のリモコン
コードでも、一つのホストアプリケーションと一つのマクロでリモコン送信機を同様に制
御することができる。また、前記組み込みファームウェアを変更することで、任意に波形
変形したリモコンコードをリモコン送信機から送信させることが可能になる。また、ホス
トアプリケーションと組み込みファームウェア間のコマンド通信を付加することで、情報
処理装置側からリモコンコードの波形を制御することが可能になる。
【００１２】
この構成によれば、情報処理装置は、リモコンコマンドを繰り返しリモコン送信機に送
信することにより、リモコン送信機からリモコンコードが繰り返し送信されるので、検査
員がリモコン送信機の操作キーを手動で何回も押下する必要がなくなり、これにより、試
験効率が向上し、大量のリモコン送信機に対しても性能試験を短時間で行うことができ、
生産コストのダウンも図れる。
【００１３】
また、リモコン送信機から送信するリモコンコードの波形を変形させることができるの
で、リモコンコードの受信の限界測定が容易になり、リモコンコードの波形が崩れる場合
もあることを想定してリモコン性能試験を行うことができ、これにより、例えば、リモコ
ン送信機と対象機器との間に障害物を置いたり、リモコン送信機の内蔵電池の電圧を低下
させたりして、リモコン送信機の性能試験を行う必要がなくなる。したがって、試験効率
が向上し、大量のリモコン送信機に対しても性能試験を短時間で行うことができ、生産コ
ストのダウンも図れる。
【００１４】
請求項２の発明は、操作コマンドを受け付ける複数の操作キーを有し、操作の対象機器
に送信する各種操作内容を示すリモコンコードを記憶し、当該操作キーが押下されると、
当該リモコンコードを送信するようになっているリモコン送信機に対する性能試験を、前
記リモコン送信機に所定の通信ケーブルを介して接続される情報処理装置を用いて行うリ
モコン試験システムであって、前記情報処理装置は、波形変形データが付加されたリモコ
ンコマンド、あるいは波形変形データが付加されていないリモコンコマンドを、前記通信
ケーブルを介して前記リモコン送信機にマクロにより繰り返し送信し、前記リモコン送信
機は、前記情報処理装置から送信されてきたリモコンコマンドに波形変形データが付加さ
れていれば、前記波形変形データに基づいて波形変形したリモコンコードを繰り返し送信
し、リモコンコマンドに波形変形データが付加されていなければ、基本波形のリモコンコ
ードを繰り返し送信することを特徴とするリモコン試験システムを提供する。
【００１５】
この構成において、リモコン性能試験を行う際、情報処理装置では、波形変形データを
リモコンコマンドに付加し、前記波形変形データが付加されたリモコンコマンドを、マク
ロに従って繰り返しリモコン送信機へ送信する。リモコン送信機では、情報処理装置から
送信されてきたリモコンコマンドに付加された波形変形データに基づいてリモコンコード
の波形を変形し、変形されたリモコンコードを送信する。
【００１６】
波形変形データがリモコンコマンドに付加されていない場合、前記リモコンコマンドを
マクロに従って繰り返しリモコン送信機へ送信する。リモコン送信機では、情報処理装置
から送信されてきたリモコンコマンドに従って基本波形のリモコンコードを繰り返し送信
する。
【００１７】
この構成によれば、情報処理装置は、リモコンコマンドを繰り返しリモコン送信機に送
信することにより、リモコン送信機からリモコンコードが繰り返し送信されるので、検査
員がリモコン送信機の操作キーを手動で何回も押下する必要がなくなり、これにより、試
験効率が向上し、大量のリモコン送信機に対しても性能試験を短時間で行うことができ、
生産コストのダウンも図れる。
【００１８】
また、リモコン送信機から送信するリモコンコードの波形を変形させることができるの
で、リモコンコードの受信の限界測定が容易になり、リモコンコードの波形が崩れる場合
もあることを想定してリモコン性能試験を行うことができ、これにより、例えば、リモコ
ン送信機と対象機器との間に障害物を置いたり、リモコン送信機の内蔵電池の電圧を低下
させたりして、リモコン送信機の性能試験を行う必要がなくなる。したがって、試験効率
が向上し、大量のリモコン送信機に対しても性能試験を短時間で行うことができ、生産コ
ストのダウンも図れる。
【００１９】
請求項３の発明では、請求項２の発明において、前記所定の通信ケーブルはＵＳＢ通信
ケーブルであるので、汎用されているＵＳＢポート付きのパーソナルコンピュータとリモ
コン送信機とが接続可能になって、パーソナルコンピュータからのリモコンコマンドなど
をリモコン送信機に送信することが可能になる。
【００２０】
請求項４の発明では、請求項２の発明において、前記情報処理装置は、リモコン送信機
から送信されるリモコンコードの波形を変形させるための波形変形データを前記リモコン
コマンドに付加する波形変形データ付加手段と、前記波形変形データが付加されたリモコ
ンコマンドまたは前記波形変形データが付加されていないリモコンコマンドをマクロに従
って繰り返し通信ケーブルを介して前記リモコン送信機に送信するコマンド送信手段とを
備えたので、情報処理装置からのリモコンコマンドがリモコン送信機に送信でき、情報処
理装置側からリモコン送信機を制御することが可能になる。
【００２１】
請求項５の発明では、請求項２の発明において、前記リモコン送信機は、情報処理装置
から送信されてきたリモコンコマンドに付加された波形変形データに基づいてリモコンコ
ードの波形を変形する波形変形手段と、前記変形されたリモコンコードまたは基本波形の
リモコンコードを繰り返し送信するリモコンコード送信手段とを備えたので、リモコン送
信機は、変形されたリモコンコードまたは基本波形のリモコンコードを繰り返し送信する
ことができる。
【００２２】
請求項６の発明では、請求項２の発明において、前記情報処理装置は、ホストアプリケ
ーションから任意のリモコンフォーマットの組み込みファームウェアをリモコン送信機に
ダウンロードすることを可能にすることで、前記組み込みファームウェアを使いたいとき
に設定するプラグイン化でき、各社各規格のリモコンコードでも、一つのホストアプリケ
ーションと一つのマクロでリモコン送信機を同様に制御することができる。また、前記組
み込みファームウェアを変更することで、任意に波形変形したリモコンコードを前記リモ
コン送信機から送信させることが可能になる。また、前記ホストアプリケーションと前記
組み込みファームウェア間のコマンド通信を付加することで、前記情報処理装置からリモ
コンコードの波形を制御することが可能になる。
【発明の効果】
【００２３】
以上のように本発明によれば、情報処理装置は、リモコンコマンドを繰り返しリモコン
送信機に送信することにより、リモコン送信機からリモコンコードが繰り返し送信される
ので、検査員がリモコン送信機の操作キーを手動で何回も押下する必要がなくなり、これ
により、試験効率が向上し、大量のリモコン送信機に対しても性能試験を短時間で行うこ
とができ、生産コストのダウンも図れる。また、リモコン送信機から送信するリモコンコ
ードの波形を変形させることができるので、リモコンコードの受信の限界測定が容易にな
り、リモコンコードの波形が崩れる場合もあることを想定してリモコン性能試験を行うこ
とができ、これにより、例えば、リモコン送信機と対象機器との間に障害物を置いたり、
リモコン送信機の内蔵電池の電圧を低下させたりして、リモコン送信機の性能試験を行う
必要がなくなる。したがって、試験効率が向上し、大量のリモコン送信機に対しても性能
試験を短時間で行うことができ、生産コストのダウンも図れる。
【発明を実施するための最良の形態】
【００２４】
以下、添付図面を参照しつつ、本発明の実施の形態について説明する。図１は本発明の
一実施形態に係るリモコン試験システムの構成を示すブロック図である。
【００２５】
このリモコン試験システムは、情報処理装置としてのパソコン（パーソナルコンピュー
タ）１と、このパソコン１とＵＳＢ通信ケーブル３を介して接続される試験対象のリモコ
ン送信機２とから成っている。パソコン１は、リモコン送信機２から送信されるリモコン
コードの波形を変形させるための波形変形データをリモコンコマンドに付加する波形変形
データ付加手段１１と、前記波形変形データが付加されたリモコンコマンドまたは前記波
形変形データが付加されていないリモコンコマンドをマクロに従って繰り返し出力しＵＳ
Ｂ通信ケーブル３を介してリモコン送信機２へ送信するコマンド送信手段１２とを備えて
いる。
【００２６】
リモコン送信機２は、ＵＳＢ通信ケーブル３に接続するためのＵＳＢ接続回路４と、リ
モコンに関する制御を行う制御回路５と、リモコンコードの信号を赤外線により発信する
発信回路９とを備えている。制御回路５には、演算処理を行うＣＰＵ６と、このＣＰＵ６
の動作に必要なプログラムやデータを記憶するＲＯＭ７と、ＣＰＵ６の動作に必要なデー
タなどを一時的に格納するＲＡＭ８とが備えられている。そして、ＣＰＵ６は、パソコン
１から送信されてきたリモコンコマンドに付加された波形変形データに基づいてリモコン
コードの波形を変形する波形変形手段６１と、前記変形されたリモコンコードまたは基本
波形のリモコンコードを繰り返し送信するリモコンコード送信手段６２とを有している。
【００２７】
パソコン１は、自体が持っているホストアプリケーションから任意のリモコンフォーマ
ットの組み込みファームウェアをリモコン送信機２のＲＡＭ８にダウンロードすることを
可能し、また、前記組み込みファームウェアを変更することで、任意に波形変形したリモ
コンコードをリモコン送信機２から送信させることを可能にし、また、前記ホストアプリ
ケーションと前記組み込みファームウェア間のコマンド通信を付加することで、パソコン
１からリモコンコードの波形を制御することを可能にしている。
【００２８】
図２は本実施形態においてリモコンコードの波形を変形した例を説明するための信号波
形図である。
【００２９】
図２において、２１はリモコン送信機２から発信される基本リモコンコードの波形を示
し、２２は基本リモコンコード２１の信号を時間軸方向に対して信号幅を短くして波形変
形したリモコンコードの波形を示す。２３は基本リモコンコード２１の信号を時間軸方向
に対して信号幅を長くして波形変形したリモコンコードの波形を示す。波形変形されたリ
モコンコードの信号２２，２３は、パソコン１から送られてきたリモコンコマンドに付加
された波形変形データに基づいてリモコン送信機２側で作成される。
【００３０】
また、パソコン１からリモコン送信機２にダウンロードする組み込みファームウェアを
変更することで、任意に波形を変形した（崩した）リモコンコードの信号をリモコン送信
機２から発信できる。また、パソコン１のホストアプリケーションと組み込みファームウ
ェア間のコマンド通信を付加することで、ホストアプリケーション側からリモコンコード
の波形を制御することも可能となる。
【００３１】
なお、図２に示す波形例では、基本リモコンコードの波形に対して全体を短くしたり、
長くしたりしたものを示したが、これに限らず、部分的に短くしたり、長くしたり、ある
いは部分的に崩したりしたリモコンコードを作成して、リモコン性能を試験しても良い。
【００３２】
図３は本実施形態においてパソコン１からリモコン送信機２への信号の流れと、リモコ
ン送信機２から対象機器Ｙへの信号の流れを説明するための信号流れ図である。
【００３３】
リモコン送信機２に対する性能試験を行う際、図３に示すように、先ず、パソコン１か
ら組み込みファームウェアをリモコン送信機２にダウンロードし、そのファームウェアを
リモコン送信機２の制御回路５内のＲＡＭ８に格納する。次に、パソコン１からリモコン
コマンドをリモコン送信機２に送信する。これに応答してリモコン送信機２は対象機器Ｙ
に対してリモコンコードを発信する。この後、再び、パソコン１からリモコンコマンドを
リモコン送信機２に送信し、これに応答してリモコン送信機２は対象機器Ｙに対してリモ
コンコードを発信する。
【００３４】
このようにリモコンコマンドは、マクロによって繰り返しパソコン１からリモコン送信
機２に送信され、これに応答して、リモコンコードがリモコン送信機２から繰り返し発信
される。パソコン１のホストアプリケーション側でリモコンコマンド送信をマクロ化する
ことで、従来、手動で行っていたリモコン操作を自動化できることにより、性能測定の自
動化、開発中の検討などの省力化が図れる。
【００３５】
図４は本実施形態において複数台の異なる機種の対象機器にリモコンコードを発信する
様子を示す構成図である。
【００３６】
図４において、Ａはａ社規格の対象機器、Ｂはｂ社規格の対象機器、Ｃはｃ社規格の対
象機器を示し、パソコン１のホストアプリケーションからａ社規格のリモコンフォーマッ
トの組み込みファームウェアをリモコン送信機２にダウンロードすれば、リモコン送信機
２からａ社規格のリモコンコードを発信でき、対象機器Ａを操作することが可能になる。
また、パソコン１のホストアプリケーションからｂ社規格のリモコンフォーマットの組み
込みファームウェアをリモコン送信機２にダウンロードすれば、リモコン送信機２からｂ
社規格のリモコンコードを発信でき、対象機器Ｂを操作することが可能になる。また、パ
ソコン１のホストアプリケーションからｃ社規格のリモコンフォーマットの組み込みファ
ームウェアをリモコン送信機２にダウンロードすれば、リモコン送信機２からｃ社規格の
リモコンコードを発信でき、対象機器Ｃを操作することが可能になる。
【００３７】
このように、パソコン１のホストアプリケーションから任意のリモコンフォーマットの
組み込みファームウェアをリモコン送信機２にダウンロードできるので、組み込みファー
ムウェアをプラグイン化でき、各社各規格のリモコンコードでも一つのホストアプリケー
ションと、一つのマクロで同様に制御することができる。
【００３８】
図５は本実施形態においてリモコンコードを発信するまでの動作を説明するためのフロ
ーチャートである。このフローチャートを参照してリモコンコードを発信するまでの動作
を説明する。
【００３９】
リモコン性能試験を行うため、パソコン１とリモコン送信機２とをＵＳＢ通信ケーブル
３によって接続する（ステップＳ１）。そして、パソコン１を電源オンして起動させ（ス
テップＳ２）、また、リモコン送信機２も電源オンした後、パソコン１のホストアプリケ
ーションから当該リモコンフォーマットの組み込みファームウェアをリモコン送信機２に
ダウンロードする（ステップＳ３）。このダウンロードにより、組み込みファームウェア
はリモコン送信機２のＲＡＭ８に格納される。
【００４０】
ここで、パソコン１から送信されるリモコンコマンドに波形変形データを付加する場合
（ステップＳ４）、パソコン１の波形変形データ付加手段１１により、リモコンコマンド
の後に波形変形データを付加し（ステップＳ５）、コマンド送信手段１２により、そのリ
モコンコマンドをＵＳＢ通信ケーブル３を介してリモコン送信機２に送信する（ステップ
Ｓ６）。
【００４１】
一方、パソコン１から送信されるリモコンコマンドに波形変形データを付加しない場合
は（ステップＳ４）、コマンド送信手段１２により、そのままリモコンコマンドを、ＵＳ
Ｂ通信ケーブル３を介してリモコン送信機２に送信する（ステップＳ６）。
【００４２】
リモコン送信機２では、パソコン１から送信されてきたリモコンコマンドに従った処理
が行われる。即ち、ＣＰＵ６は、ＲＡＭ８に格納されているファームウェアを用いて、そ
のリモコンコマンドを解読して、リモコンコードを作成すると共に、リモコンコマンドの
後に波形変形データが付加されているか否かを判定し（ステップＳ７）、リモコンコマン
ドの後に波形変形データが付加されている場合は、ＣＰＵ６の波形変形手段６１は、その
波形変形データに従ってリモコンコードの波形を変形させる（ステップＳ８）。この後、
ＣＰＵ６のリモコンコード送信手段６２は、変形リモコンコードを、発信回路９を介して
発信する（ステップＳ９）。
【００４３】
一方、リモコンコマンドの後に波形変形データが付加されていない場合は、ＣＰＵ６の
リモコンコード送信手段６２は、基本波形のリモコンコードを、発信回路９を介して発信
する（ステップＳ１０）。
【００４４】
以上説明したように、パソコンは、リモコンコマンドを繰り返しリモコン送信機に送信
することにより、リモコン送信機からリモコンコードが繰り返し送信されるので、検査員
がリモコン送信機の操作キーを手動で何回も押下する必要がなくなり、これにより、試験
効率が向上し、大量のリモコン送信機に対しても性能試験を短時間で行うことができ、生
産コストのダウンも図れる。
【００４５】
また、リモコン送信機から送信するリモコンコードの波形を変形させることができるの
で、リモコンコードの受信の限界測定が容易になり、リモコンコードの波形が崩れる場合
もあることを想定してリモコン性能試験を行うことができ、これにより、例えば、リモコ
ン送信機と対象機器との間に障害物を置いたり、リモコン送信機の内蔵電池の電圧を低下
させたりして、リモコン送信機の性能試験を行う必要がなくなる。したがって、試験効率
が向上し、大量のリモコン送信機に対しても性能試験を短時間で行うことができ、生産コ
ストのダウンも図れる。
【図面の簡単な説明】
【００４６】
【図１】本発明の一実施形態に係るリモコン試験システムの構成を示すブロック図である。
【図２】前記実施形態においてリモコンコードの波形を変形した例を説明するための信号波形図である。
【図３】前記実施形態においてパソコンからリモコン送信機への信号の流れと、リモコン送信機から対象機器への信号の流れを説明するための信号流れ図である。
【図４】前記実施形態において複数台の異なる機種の対象機器にリモコンコードを発信する様子を示す構成図である。
【図５】前記実施形態においてリモコンコードを発信するまでの動作を説明するためのフローチャートである。
【符号の説明】
【００４７】
１    パソコン（情報処理装置）
２    リモコン送信機
３    ＵＳＢ通信ケーブル
１１    波形変形データ付加手段
１２    コマンド送信手段
６１    波形変形手段
６２    リモコンコード送信手段
Ａ，Ｂ，Ｃ，Ｙ    対象機器
【図１】
2005204222.tif 000003
【図２】
2005204222.tif 000004
【図３】
2005204222.tif 000005
【図４】
2005204222.tif 000006
【図５】
2005204222.tif 000007